(57)【特許請求の範囲】
【請求項１】
蝶番により開閉可能に支持された扉を有しており、電磁波により加熱する加熱室を内部に設けた調理器本体と、前記扉に設けた加熱に係る操作を受け付けるための操作部と、該操作部及び前記調理器本体を接続する電線とを備える加熱調理器において、
前記蝶番は、円筒状の蝶番軸を有し、
前記扉は、前記蝶番軸の方向に電線を案内するための案内部、及び前記加熱室から漏洩する電磁波を遮蔽する遮蔽部を有し、
前記案内部は、前記遮蔽部より離隔して形成し、且つ中心軸を前記蝶番軸より前記扉の前面側へ偏心させてあり、
前記電線は、前記蝶番軸及び前記案内部に遊挿してあること
を特徴とする加熱調理器。
【請求項２】
前記蝶番軸及び前記案内部は、夫々の一端を離隔して対向させてあることを特徴とする請求項１に記載の加熱調理器。
【請求項３】
前記案内部は、略円筒状であることを特徴とする請求項１又は２に記載の加熱調理器。
【請求項４】
前記電線は、多芯電線であることを特徴とする請求項１から３の何れか１項に記載の加熱調理器。
【請求項５】
前記案内部は、前記扉の開閉による前記電線の捩れ応力を緩和するに足る長さを有することを特徴とする請求項１から４の何れか１項に記載の加熱調理器。
【請求項６】
前記蝶番軸は、前記調理器本体側の蝶番片に嵌着させてあることを特徴とする請求項１から５の何れか１項に記載の加熱調理器。
【請求項７】
前記調理器本体は、前面に前記電線の導入口を有し、
前記蝶番片は、前記導入口に挿通してあることを特徴とする請求項６に記載の加熱調理器。
【請求項８】
前記蝶番片及び前記電線をカバーするカバー部材を有することを特徴とする請求項７に記載の加熱調理器。
【発明の詳細な説明】
【技術分野】
【０００１】
本発明は、マイクロ波、電気ヒータ等の熱源を有して、加熱室内の被加熱物を加熱調理する加熱調理器に関する。
【背景技術】
【０００２】
近年、熱源にマイクロ波及び／又は電気ヒータを備えた加熱調理器の普及が進んでいる。加熱調理器の中でも特に業務用においては、比較的単純な操作が素早く行えることが要求され、限られた設置スペースを有効に活用するために、複数台を積み重ねた状態で使用されることもある。
【０００３】
加熱調理器では、操作部及び操作スイッチの配置によって使いやすさが大きく左右されるため、夫々の配置には様々な工夫が凝らされている。操作部としては、複数の操作スイッチを調理器本体の前面の１箇所に集中配置するものが一般的であるが、加熱調理器によっては、操作性向上のため、及び／又は加熱室の開口面積を大きく確保するために、操作部を扉に配置したものがある。
【０００４】
例えば、特許文献１には、縦開きの扉の下部に操作部を備え、調理器本体側の制御回路の一部である駆動回路と扉側の操作回路とを制御信号線で接続する加熱調理器が開示されている。このように、操作部を扉に配置した場合、一般的には扉と調理器本体との間に、信号及び電力を授受するための電線が不可欠となる。この電線は、使用者の目に触れないように、また、扉の開閉の妨げとならないように配設する必要があるが、扉の開閉による制約もあり、考慮すべき点が多い。
【０００５】
そこで、特許文献２では、横開きの扉の内部と、調理器本体前面の下部を覆うと共に本体を支持する支持部材の内部とを連通させ、扉の下部から連通部に電線を挿通させて調理器本体下部の前面より電線を引き込む技術が開示されている。この場合、上述した連通部を扉の回動軸上に位置させることにより、扉の開閉に伴う電線の捩れは残るものの、電線の屈曲は軽減することができる。
【特許文献１】特開２０００−１２２０９号公報
【特許文献２】特開２００２−４８３４６号公報
【発明の開示】
【発明が解決しようとする課題】
【０００６】
しかしながら、特許文献１及び２に開示された加熱調理器では、長期間にわたり高頻度で扉を開閉した場合、電線に繰り返し生じる屈曲又は捩れによって、電線が断線に至る可能性があり、業務用を含めた耐久性が考慮されているとは言い難いところがあった。
また、特許文献２に開示された加熱調理器では、調理器本体下部に設けた支持部材のような、電線を隠蔽できる部材を利用する必要があった。
【０００７】
特許文献１及び２に開示された技術によらずとも、調理器本体側の制御回路が、標準的には右側部に配置されることを考慮した場合、扉が縦開きのときは、上述した電線を調理器本体の前面の右下部から引き込むことにより、扉の開閉に伴って、電線に多少の屈伸が生じても強い屈曲は生じないようにすることができる。また、使用者の目に触れにくい位置に、扉の開閉の妨げとならないように電線を敷設することも可能である。これに対し、扉が横開きのときは、蝶番が前側の左端部にあり、調理器本体側の制御回路が右側部にあることだけを見ても、両者間の電線を使用者の目に触れにくいように、かつ、扉の開閉の妨げとならないように敷設することは極めて困難である。
【０００８】
本発明は斯かる事情に鑑みてなされたものであり、その目的とするところは、業務用をも含めた扉開閉の耐久性を有し、電線又は電線をカバーする部材が外観に現れない加熱調理器を提供することにある。
【課題を解決するための手段】
【０００９】
本発明に係る加熱調理器は、蝶番により開閉可能に支持された扉を有しており、電磁波により加熱する加熱室を内部に設けた調理器本体と、前記扉に設けた加熱に係る操作を受け付けるための操作部と、該操作部及び前記調理器本体を接続する電線とを備える加熱調理器において、前記蝶番は、円筒状の蝶番軸を有し、前記扉は、前記蝶番軸の方向に電線を案内するための案内部、及び前記加熱室から漏洩する電磁波を遮蔽する遮蔽部を有し、前記案内部は、前記遮蔽部より離隔して形成し、且つ中心軸を前記蝶番軸より前記扉の前面側へ偏心させてあり、前記電線は、前記蝶番軸及び前記案内部に遊挿してあることを特徴とする。
【００１０】
本発明にあっては、蝶番の蝶番軸が円筒状をなし、該蝶番軸と、扉に設けてあり、前記蝶番軸に対して中心軸を扉の前面側へ偏心させてある案内部とに、操作部と調理器本体とを接続する電線を遊挿してあり、扉の案内部が蝶番軸の方向に電線を案内する。案内部は、加熱室より漏洩する電磁波を遮蔽する遮蔽部より離隔してある。
これにより、電線が蝶番軸に遊挿されることから、扉の開閉によって電線に生じる屈曲量が軽減され、電線が外観に現れることもない。また、扉の開閉に伴う電線の全捩れ量は一定であるのに対し、案内部の長さだけ電線長が延伸されることから、電線に生じる捩れが、延伸された電線に分散されて、電線の捩れ応力が緩和される。更に、案内部が蝶番軸に対して扉の前面側へ偏心した位置に配置されることから、案内部に遊挿された電線が遮蔽部から漏洩する電磁波の影響を受けないための離隔距離が確保されると共に、蝶番軸を扉の背面側に後退させて扉の薄型化に寄与する。更にまた、案内部に遊挿された電線の被覆が誘電率に応じた加熱を受けることを抑止すると共に、電線及び他の金属物との間に放電が発生することを防止する。
【００１１】
本発明に係る加熱調理器は、前記蝶番軸及び前記案内部は、夫々の一端を離隔して対向させてあることを特徴とする。
本発明にあっては、蝶番軸に対して、案内部の中心軸を偏心させた場合、蝶番軸及び案内部の夫々の一端を離隔して対向させる。
これにより、扉を開閉したときに、蝶番軸及び案内部夫々の内部で、互いに偏心した中心軸に沿って電線が捩れることに伴う電線の屈曲が軽減される。
【００１２】
本発明に係る加熱調理器は、前記案内部は、略円筒状であることを特徴とする。
本発明にあっては、電線を案内する案内部は、略円筒状としてある。
これにより、断面の形状のみが異なる他の案内部と比較した場合、扉の開閉による電線の捩れに対して、案内部の内壁より受ける抵抗力が最小となる。
【００１３】
本発明に係る加熱調理器は、前記電線は、多芯電線であることを特徴とする。
【００１４】
本発明にあっては、電線は多芯電線としてある。
これにより、例えばフラットケーブルのような平型ケーブルを用いた場合と比較して、案内部への挿通が容易となる。また、扉の開閉による電線の捩れに対して、案内部の内壁より受ける抵抗力が軽減される。
【００１５】
本発明に係る加熱調理器は、前記案内部は、前記扉の開閉による前記電線の捩れ応力を緩和するに足る長さを有することを特徴とする。
【００１６】
本発明にあっては、電線に生じる捩れを、充分に延伸させた電線に分散させるために、案内部は、例えば、横開き扉の蝶番軸方向の高さの少なくとも半分を超える長さとしてある。
これにより、電線は、例えば業務用を想定した扉の開閉試験に耐えられるものとなる。
【００１７】
本発明に係る加熱調理器は、前記蝶番軸は、前記調理器本体側の蝶番片に嵌着させてあることを特徴とする。
【００１８】
本発明にあっては、扉の蝶番軸を、調理器本体側の蝶番片に嵌着させてある。
これにより、蝶番軸は調理器本体に対して回動しないものとなるため、調理器本体側から延設した電線を蝶番軸に遊挿させた場合、扉が開閉されたときにも、蝶番軸と電線との摺動が生じない。従って、電線の被覆が破られることがない。
【００１９】
本発明に係る加熱調理器は、前記調理器本体は、前面に前記電線の導入口を有し、前記蝶番片は、前記導入口に挿通してあることを特徴とする。
【００２０】
本発明にあっては、調理器本体の前面に設けた電線の導入口に、扉の蝶番の本体側の蝶番片を挿通してある。
これにより、調理器本体側から延設した電線を、蝶番片に添着させて蝶番軸まで敷設することが可能となる。
【００２１】
本発明に係る加熱調理器は、前記蝶番片及び前記電線をカバーするカバー部材を有することを特徴とする。
【００２２】
本発明にあっては、本体側の蝶番片及び該蝶番片に添着させた電線を、カバー部材によりカバーする。
これにより、扉が開放されたときにも電線が隠蔽されて、美観が保たれる。
【発明の効果】
【００２９】
本発明によれば、円筒状の蝶番軸及び該蝶番軸に対して中心軸を扉の前面側へ偏心させた案内部に電線を遊挿してあり、電磁波を遮蔽する遮蔽部より離隔された案内部が電線を蝶番軸の方向に案内する。これにより、電線が蝶番軸に遊挿されることから、扉の開閉によって電線に生じる屈曲量が軽減され、電線が外観に現れることもない。また、扉の開閉に伴う電線の全捩れ量は一定であるのに対し、案内部の長さだけ電線長が延伸されることから、電線に生じる捩れが、延伸された電線に分散されて、電線の捩れ応力が緩和される。更に、案内部が蝶番軸に対して扉の前面側へ偏心した位置に配置されることから、案内部に遊挿された電線が遮蔽部から漏洩する電磁波の影響を受けないための離隔距離が確保されると共に、蝶番軸を扉の背面側に後退させて扉の薄型化に寄与する。更にまた、案内部に遊挿された電線の被覆が誘電率に応じた加熱を受けることを抑止すると共に、電線及び他の金属物との間に放電が発生することを防止する。従って、業務用をも含めた扉開閉の耐久性を有し、電線又は電線をカバーする部材が外観に現れない加熱調理器を提供することができる。 
【発明を実施するための最良の形態】
【００３０】
以下、本発明に係る加熱調理器を電子レンジに適用した実施の形態について詳述する。図１は、電子レンジの外観を示す正面図であり、図２乃至図５は、夫々電子レンジの内部構成を示す略示平面図、略示背面図、略示左側面図、及び略示右側面図である。
【００３１】
図中１はレンジ本体である。レンジ本体１は、略直方体をなし、前側に開放部を有する加熱室６を収容するキャビネット７を外殻とする。前記開放部は、レンジ本体１の前部の一側方に蝶着された横開きの扉２により、開閉可能に閉止されている。レンジ本体１の前面の上部は、扉２の上方を覆うように前方へ突出させてあり、突出させたレンジ本体１の前部及び扉２の下部に、レシピの選択及び加熱の開始等の操作を受け付けるための操作部３、４を備える。
【００３２】
キャビネット７は、四角形状をなす底部のベース２１と、該ベース２１の前縁部に結合される枠状の前フレーム２２と、両側板、天板及び背面板を有してベース２１及び前フレーム２２の周縁を被覆するカバー体２３とを備える。
加熱室６は、金属板により直方体状に形成された箱体であって、前側に開口を有し、該箱体の前面部が、レンジ本体１の前面に設けられた額縁状の前面板６ｆの中央部開口に嵌め込まれた形状となっている。加熱室６は、ベース２１の前側に取り付けられている。
【００３３】
加熱室６の後方の中央には、加熱調理用のマイクロ波を発生させるための二つのマグネトロン８、８が上下に離隔されて配されている。マグネトロン８、８に夫々電力を送給するためのトランス９、９及びトランス９、９の出力を夫々整流・平滑するためのコンデンサ１０、１０は、加熱室６の後方下部及び後方上部の両側方に配設されている。加熱室６の背壁６ｄの背面には、二つの冷却用のファンモータ１１、１１が設けられ、加熱室６の天壁６ａ及び底壁６ｂの夫々上面及び下面には、マグネトロン８、８が発生したマイクロ波を夫々加熱室６へ導くための導波管１２、１２が配されている。
【００３４】
加熱室６の天壁６ａの上面には、加熱室６への外気の供給及び加熱室６からの排気の導出を夫々行う給気ダクト１３及び排気ダクト１４が配されている。排気ダクト１４は、排気路に送風機１５を有し、送風機１５は、ダクト内の羽根車１５ａ及び該羽根車１５ａを駆動する排気モータ１５ｂからなる。
加熱室６の右側壁６ｃの外面の下方には、操作部３、４及びマグネトロン８、８等の電気部品を制御する制御部１６が配設されている。
【００３５】
レンジ本体１の前方には、一方の側部の上下各端部に配設された蝶番５（下端部の蝶番は図示せず）により、扉２を取り付けてある。加熱室６の天壁６ａの外面上であって、前側の一方の側部には、天壁６ａの外面から扉２の上面に至る長さと略同等の高さを有する略直方体状の扉支持部６１を設けてある。扉支持部６１の上面には、平面視略Ｊ字をなす板状の本体側蝶番片５ａが、Ｊ字形状の直線部の全体において前後方向に当接するように螺着されている。レンジ本体１の前方に突出した本体側蝶番片５ａの屈曲部は、一側方に向けた先端部に蝶番軸５ｂを挿通するための穴を有し、該穴には扉２を支持するための蝶番軸５ｂを鉛直方向に挿通して嵌着してある。下端部の蝶番５についても同様の構造を有し、本体側蝶番片５ａは、レンジ本体１の下端部に螺着されている。
【００３６】
レンジ本体１の前面の上部に突出させた部分の直下であって、レンジ本体１の前面と扉支持部６１の上面とが交わる部分には、リード線３１（図６参照）をレンジ本体１の内部に導入するための略矩形の導入口１ａを、閉止された扉２によって隠蔽されるように設けてある。該導入口１ａには、本体側蝶番片５ａのＪ字形状の直線部が、屈曲部との境界付近まで挿通されている。
【００３７】
図６は、扉２の内部構成を示す略示平面図（ａ）及び略示背面図（ｂ）である。扉２は、矩形平板状で内部が空洞の扉ケース２ａを外殻とし、加熱室６から漏洩する電磁波をいわゆるチョーク構造で遮蔽する正面視矩形の扉パネル（遮蔽部）２ｂを内部に有する。上側の蝶番５は、上述した本体側蝶番片５ａを固定側とし、円筒状の蝶番軸５ｂを支点に、略矩形板状の扉側蝶番片５ｃが、扉ケース２ａの上端部に平置きで螺着されて、扉２と共に回動するようになっている。下側の蝶番５についても、同様である。
扉２が閉止された場合、前面板６ｆと扉２とが、扉２の加熱室側に配設されたチョーク構造によって接触し、加熱室６から漏洩する電磁波を遮蔽する。また、扉２の背面側でチョーク構造によって前面板６ｆとは接触しない部分についても、前面板６ｆに対し僅かな間隙を介して保持されることにより、電磁波の漏洩を抑止する。
【００３８】
扉ケース２ａの下部には、操作部４の操作キーシート４ａが横長に配され、操作キーシート４ａの一側方から延出されたフラットケーブル４ｂの信号線は、変換基板４ｃにおいて、多芯のリード線（多芯電線）３１の夫々異なる芯線に接続されている。
【００３９】
扉ケース２ａの扉側蝶番片５ｃを有する一方の側部には、扉２の高さの半分を超える長さを有する円筒状の扉パイプ（案内部）３０が、蝶番軸５ｂの下端の１１．０ｍｍ下方より、操作キーシート４ａの一側方の近傍まで、リブ２ｃにより挟持されて立設されている。変換基板４ｃのコネクタから延設されたリード線３１は、扉パイプ３０及び蝶番軸５ｂに夫々遊挿してある。蝶番軸５ｂの上端部の開口より延出されたリード線３１の先端には、レンジ本体１の制御部１６と接続するためのコネクタ３１ａが取着されている。コネクタ３１ａは、扉パイプ３０及び蝶番軸５ｂを通過できる大きさにしてある。
【００４０】
図７は、扉パイプ３０の位置と扉２の厚さとの関係を示す説明図である。図７（ａ）は、扉パイプ３０及び蝶番軸５ｂの中心軸を一致させた場合を示す。扉パイプ３０は、内部のリード線３１が扉パネル２ｂから漏洩する電磁波の影響を受けることを避けるため、扉パネル２ｂより所定の離隔距離を置いてある。図６（ａ）の本体側蝶番片５ａに嵌着された蝶番軸５ｂに支持される扉側蝶番片５ｃは、扉２の前面側の限界まで寄せてある。
【００４１】
上述したような、扉パイプ３０及び扉パネル２ｂ並びに扉側蝶番片５ｃ及び扉２前面についての前後の位置関係を保持して、扉２の厚さを低減させるため、本実施の形態では、図７（ｂ）に示すように、蝶番軸５ｂの中心軸を扉パイプ３０の中心軸より７．５ｍｍだけ背面側、即ちレンジ本体１側へ偏心させてある。この場合、扉２の開閉に伴うリード線３１の屈曲を軽減させるため、図６に示すように、蝶番軸５ｂの下端部と扉パイプ３０の上端部とを約１１ｍｍだけ離隔させてある。
【００４２】
図８は、扉２を背面上方から見た模式的な斜視図である。リード線３１は、変換基板４ｂから扉パイプ３０及び蝶番軸５ｂを経由し、本体側蝶番片５ａの上面に添着させて、導入口１ａよりレンジ本体１の内部に導入してある。蝶番カバー５１は、本体側蝶番片５ａ及びリード線３１を一体的にカバーするものである。
【００４３】
以上のように、本実施の形態によれば、扉の蝶番軸が円筒状をなし、扉ケースにリブで挟持した扉パイプ及び蝶番軸に、操作部とレンジ本体の制御部とを接続するリード線を遊挿してあり、扉パイプが蝶番軸の軸方向にリード線を案内する。これにより、扉が開閉されたときにリード線に生じる屈曲量を軽減できる。そして、リード線が外観に現れないようにすることができるとともに、扉を開放したときにおいても、リード線が目に触れないようにすることができる。また、扉パイプに挿通された分だけリード線が延伸されて、扉の開閉に伴うリード線の捩れが分散されるため、リード線の捩れ応力を緩和できる。
尚、本実施の形態では、突出させたレンジ本体１の前部に、レシピの選択及び加熱の開始等の操作を受け付けるための操作部３を備えていることから、操作部３を介して操作部４と制御部１６とを接続する構成とすることにより、リード線３１のコネクタ３１ａは、操作部３まで引き込むだけで済み、組み立て作業が容易となる。
【００４４】
更に、扉パイプは、略円筒状にしてある。
これにより、扉の開閉によるリード線の捩れに対して、扉パイプの内壁より受ける抵抗力を最小にすることができる。
【００４５】
更に、リード線は、多芯電線にしてある。
これにより、扉パイプへの挿通を容易にできると共に、扉の開閉によるリード線の捩れに対して、扉パイプの内壁より受ける抵抗力を軽減できる。そして、リード線のコネクタは、扉パイプを通過できる大きさであるため、組立時の作業性を良好にできる。
【００４６】
更に、扉パイプは、扉の高さの半分以上の長さにしてある。
これにより、リード線に生じる捩れは、扉パイプの分だけ延伸されたリード線に充分に分散される。従って、リード線は、業務用を想定した４０万回の扉開閉試験に耐えるものとすることができる。
【００４７】
更に、蝶番軸は、本体側蝶番片に嵌着させてある。
これにより、レンジ本体から延設したリード線を蝶番軸に遊挿させた場合、扉が開閉されたときにも、蝶番軸とリード線との摺動が生じないため、リード線の被覆が破れないようにすることができる。
【００４８】
更に、レンジ本体の前面に設けたリード線の導入口に、本体側蝶番片を挿通させてある。
これにより、レンジ本体から延設したリード線を、本体側蝶番片に添着させて蝶番軸まで容易に敷設することができる。
【００４９】
更に、蝶番カバーが、本体側蝶番片及びリード線を一体的にカバーする。
これにより、扉が開放されたときにもリード線が隠蔽されて、美観を保つことができる。
【００５０】
更に、扉パネルが、加熱室から漏洩する電磁波を遮蔽し、扉パイプは、電磁波の影響を避けて扉パネルより離隔してある。
これにより、リード線の被覆が電磁波で加熱されることを抑止できると共に、リード線と他の金属物との間に放電が発生することを防止することができる。
【００５１】
更に、扉パイプの中心軸は、蝶番軸の中心軸に対して、扉の前面側に位置するように偏心させてある。
これにより、扉パイプ内のリード線が、扉パネルから漏洩する電磁波の影響を受けないための離隔距離を確保することができると共に、蝶番軸を扉の背面側に後退させて、扉の薄型化を図ることができる。
【００５２】
更に、蝶番軸及び扉パイプは、夫々の一端を離隔して対向させてある。
これにより、扉を開閉したときに、蝶番軸及び扉パイプ夫々の内部で、互いに偏心した中心軸に添ってリード線が捩れることに伴うリード線の屈曲を軽減することができる。
【００５３】
尚、本実施の形態にあっては、電子レンジは２つの操作部を有しているが、扉にのみ操作部を有するものであってもよい。
また、扉は横開きに限定されるものではなく、縦開きであってもよい。
【図面の簡単な説明】
【００５４】
【図１】電子レンジの外観を示す正面図である。
【図２】電子レンジの内部構成を示す略示平面図である。
【図３】電子レンジの内部構成を示す略示背面図である。
【図４】電子レンジの内部構成を示す略示左側面図である。
【図５】電子レンジの内部構成を示す略示右側面図である。
【図６】扉の内部構成を示す略示平面図（ａ）及び略示背面図（ｂ）である。
【図７】扉パイプの位置と扉の厚さとの関係を示す説明図である。
【図８】扉を背面上方から見た模式的な斜視図である。
【符号の説明】
【００５５】
１    レンジ本体（調理器本体）
１ａ  導入口
２    扉
２ａ  扉ケース
２ｂ  扉パネル（遮蔽部）
２ｃ  リブ
３、４  操作部
４ａ  操作キーシート
５    蝶番
５ａ  本体側蝶番片（調理器本体側の蝶番片）
５ｂ  蝶番軸
５ｃ  扉側蝶番片
６    加熱室
６ｆ  前面板
７    キャビネット
１６  制御部
３０  扉パイプ（案内部）
３１  リード線（電線、多芯電線）
３１ａ  コネクタ
５１  蝶番カバー（カバー部材）
【図１】
0004637188.tif 000002
【図２】
0004637188.tif 000003
【図３】
0004637188.tif 000004
【図４】
0004637188.tif 000005
【図５】
0004637188.tif 000006
【図６】
0004637188.tif 000007
【図７】
0004637188.tif 000008
【図８】
0004637188.tif 000009